(57)【特許請求の範囲】
【請求項１】
音声取得端末が取得した音声情報と前記音声取得端末の位置を表す第１の位置情報とを受信し、前記音声情報に前記第１の位置情報を関連付けて記録しているデータベースと、
ＧＰＳ、基地局、アクセスポイント、無線タグ、又はバーコードが検出手段として用いられ、前記検出手段が検出した音声再生端末の位置を表わす第２の位置情報を受信する位置情報受信部と、
前記位置情報受信部に受信された前記第２の位置情報が関連付けられて前記データベースに記録されている前記音声情報を読出す情報読出部と、
前記情報読出部によって読出された前記音声情報を前記音声再生端末へ送信する情報送信部と、を備え、
前記情報読出部が読出す前記音声情報は、前記第２の位置情報によって表される前記音声再生端末の位置を中心に、前記第２の位置情報が検出された前記検出手段の精度に応じて決定された所定の距離内に含まれる、前記音声情報と関連付けられた前記第１の位置情報を検索することによって決定され、
前記音声情報は取得された日時が関連付けられて前記データベースに記録され、
前記情報読出部は前記音声情報が取得されたのと同じ季節又は同じ時間帯で前記データベースに記録されている前記音声情報を読出すことを特徴とする音声システム。
【請求項２】
前記第２の位置情報がＧＰＳによって検出された場合、前記情報読出部が読出す前記音声情報は、前記第２の位置情報によって表される前記音声再生端末の位置を中心に、前記第２の位置情報に応じて決定された所定の距離内に含まれる、前記音声情報と関連付けられた前記第１の位置情報を検索することによって決定されることを特徴とする請求項１に記載の音声システム。
【請求項３】
前記情報送信部は、前記読出された音声情報の周波数成分の周波数および／または強度を変更して前記読出された音声情報を前記音声再生端末へ送信する請求項１または請求項２に記載の音声システム。
【請求項４】
前記音声取得端末は、前記位置情報を検出する位置情報検出部と前記音声情報を取得するマイクとを有することを特徴とする請求項１または請求項２に記載の音声システム。
【請求項５】
前記サーバは、
前記音声取得端末より前記位置情報と前記音声情報とを受信する情報受信部と、
前記受信された音声情報に前記受信された位置情報を関連付けて前記データベースに記録する情報記録部と、をさらに備える請求項４に記載の音声システム。
【請求項６】
前記情報記録部は、前記受信された音声情報の周波数成分の周波数および／または強度を変更して前記データベースに記録することを特徴とする請求項５に記載の音声システム。
【請求項７】
音声取得端末が取得した音声情報と前記音声取得端末の位置を表す第１の位置情報とを受信し、前記音声情報に前記第１の位置情報を関連付けて記録しているデータベースを備えるサーバを有するシステムの動作方法であって、
前記サーバが、
ＧＰＳ、基地局、アクセスポイント、無線タグ、又はバーコードが検出手段として用いられ、前記検出手段が検出した音声再生端末の位置を表わす第２の位置情報を受信し、
前記受信された前記第２の位置情報が関連付けられて前記データベースに記録されている前記音声情報を読出し、
前記読出された前記音声情報を前記音声再生端末へ送信することを含む、システムの動作方法であって、
前記読出された前記音声情報は、前記第２の位置情報によって表される前記音声再生端末の位置を中心に、前記第２の位置情報が検出された前記検出手段の精度に応じて決定された所定の距離内に含まれる、前記音声情報と関連付けられた前記第１の位置情報を検索することによって決定され、
前記音声情報は取得された日時が関連付けられて前記データベースに記録され、
前記情報読出部は前記音声情報が取得されたのと同じ季節又は同じ時間帯で前記データベースに記録されている前記音声情報を読出すことを特徴とするシステムの動作方法。
【請求項８】
前記第２の位置情報がＧＰＳによって検出された場合、前記情報読出部が読出す前記音声情報は、前記第２の位置情報によって表される前記音声再生端末の位置を中心に、前記第２の位置情報に応じて決定された所定の距離内に含まれる、前記音声情報と関連付けられた前記第１の位置情報を検索することによって決定されることを特徴とする請求項７に記載のシステムの動作方法。
【請求項９】
前記音声取得端末は、前記位置情報を検出する位置情報検出部と前記音声情報を取得するマイクとを有することを特徴とする請求項７または請求項８に記載のシステムの動作方法。
【発明の詳細な説明】
【技術分野】
【０００１】
本発明は、音声を含むコンテンツを位置情報と関連付けて記録し、利用者の有する端末装置が、音声を含むコンテンツが関連付けられている位置情報により示される位置またはその近傍に移動などすると、その端末装置にコンテンツを再生させる音声システムなどに関する。
【背景技術】
【０００２】
インターネットなどの通信網が発達し、また、携帯可能な端末装置の技術も発達し、現在では、携帯可能な端末装置からほぼいつでもどこからでもインターネットに接続を行ない、情報の送受信が可能となっている。これにより、例えば特許文献１に開示されているように、アクセスポイントに接続可能なボイスレコーダに音声メモを記録する場合に、音声メモに時間情報および場所情報を付加することが可能となっている。また、特許文献２に開示されているように、移動体端末にストリーミングデータを配信することが可能となっている。また、特許文献３に開示されているように、経路探索処理を行ない、目的地への道案内を行なう音声データを取得し、取得した音声データを携帯電話に送信することが可能となっている。
【先行技術文献】
【特許文献】
【０００３】
【特許文献１】特開２００６−２１１５６２号公報
【特許文献２】特開２００３−１４３５８８号公報
【特許文献３】特開２０１０−１３９２８７号公報
【発明の概要】
【発明が解決しようとする課題】
【０００４】
携帯可能な端末装置からほぼいつでもどこからでもインターネットに接続を行ない情報が得られるようになると、人々は移動せずにあらゆる情報を得ることができ、その結果、人々はこれまで行ったことない場所に行くことをしなくなる。このため人々は他人と没交渉的となり、感情や感動を共有することがなくなってきている。このため、他人とコミュニケーションが満足に取ることができなくなってきており、種々の社会問題が発生している。
【課題を解決するための手段】
【０００５】
そこで、本発明では、複数の利用者との間で感情や感動を共有できるシステムなどを提供する。
【０００６】
すなわち、本発明の一実施形態として、音声情報に位置情報を関連付けて記録しているデータベースと、携帯端末の位置を表わす位置情報を受信する位置情報受信部と、前記受信された位置情報が関連付けられて前記データベースに記録されている音声情報を読出す情報読出部と、前記読出された音声情報を前記携帯端末へ送信する情報送信部とを備えるサーバを有する音声システムを提供する。
【０００７】
また、本発明の一実施形態として、音声情報に位置情報を関連付けて記録しているデータベースを備えるサーバを有するシステムの動作方法であって、前記サーバが、携帯端末の位置を表わす位置情報を受信し、前記受信された位置情報が関連付けられて前記データベースに記録されている音声情報を読出し、前記読出された音声情報を前記携帯端末へ送信することを含む、サーバの動作方法を提供する。
【０００８】
また、本発明の一実施形態として、現在の位置情報を検出する位置情報検出部と、前記検出された位置情報を、音声情報に位置情報を関連付けて記録しているデータベースを有するサーバへ、送信する位置情報送信部と、前記検出された位置情報と関連付けて前記データベースに記録されている音声情報を前記サーバ装置にて検索した結果に関する情報を受信する情報受信部と、前記受信された情報に基づいて、前記検出された位置情報と関連付けて前記データベースに記録されている音声情報を再生する音声情報再生部とを有する端末装置を提供する。
【０００９】
また、本発明の一実施形態として、現在の位置情報を検出する位置情報検出部と情報を送信する情報送信部と情報を受信する情報受信部と音声情報を再生する音声再生部とを有する端末装置に、前記位置情報検出部により現在の位置情報を検出し、前記検出された位置情報を、音声情報に位置情報を関連付けて記録しているデータベースを有するサーバへ、前記情報送信部により送信し、前記検出された位置情報と関連付けて前記データベースに記録されている音声情報を前記サーバ装置にて検索した結果に関する情報を、前記情報受信部により受信し、前記受信された情報に基づいて、前記検出された位置情報と関連付けて前記データベースに記録されている音声情報を、前記音声再生部により再生することを実行させるためのプログラムを提供する。
【発明の効果】
【００１０】
本発明により、音声情報が取得された際の利用者の感情や感動を、複数の利用者との間で共有することが可能となる。
【図面の簡単な説明】
【００１１】
【図１】本発明の一実施形態の概要を説明するための図である。
【図２】本発明の一実施形態に係る音声システムの機能ブロック図である。
【図３】本発明の一実施形態に係る音声取得端末の表示画面の一例図である。
【図４】本発明の一実施形態に係る音声取得端末において実行される処理のフローチャートの一例図である。
【図５】本発明の一実施形態に係る音声記録サーバにおいて実行される処理のフローチャートである。
【図６】本発明の一実施形態に係る音声再生端末において実行される処理のフローチャートである。
【図７】本発明の一実施形態に係る音声再生サーバにおいて実行される処理のフローチャートである。
【図８】本発明の一実施形態に係る音声再生端末の表示画面の一例図である。
【図９】本発明の一実施形態に係る音声再生端末の表示画面の一例図である。
【図１０】計算機の機能ブロック図である。
【発明を実施するための形態】
【００１２】
以下、本発明を実施するための形態を、実施形態として説明する。なお、本発明は、以下に説明する実施形態に何ら限定されることはなく、発明の要旨から逸脱することなく変形を行なって実施することが可能である。
【００１３】
（本発明の実施形態の概要）
図１は、本発明の実施形態に係る音声システムの概要を説明するための図である。図１に示すように、利用者１０１が端末装置１０２を有している。端末装置１０２は、マイクなどの音声を取得する装置を有している。また、端末装置１０２は、さらにカメラなどの画像撮影装置を有していてもよい。利用者１０１が、位置Ａにおいて、端末装置１０２に向かって話すなどする。このとき、端末装置１０２は、マイクなどを用いて端末装置１０２の周囲の音声情報Ｂを取得する。端末装置１０２が画像撮影装置を有していれば、音声情報の取得とともに画像情報を取得してもよい。以下、端末装置１０２が取得した音声情報を含む情報をコンテンツと呼ぶ。
【００１４】
また、端末装置１０２は、現在の位置を表わす位置情報Ａを取得する。例えば、ＧＰＳ（Ｇｌｏｂａｌ  Ｐｏｓｉｔｉｏｎｉｎｇ  Ｓｙｓｔｅｍ）や携帯電話の基地局や無線ＬＡＮ（Ｌｏｃａｌ  Ａｒｅａ  Ｎｅｔｗｏｒｋ）のアクセスポイントなどから受信される電波などを用いる。また、位置Ａやその近くに配置され、場所の情報をコーディングしたバーコードなどを光学的に読み取ることにより位置情報を取得してもよい。位置情報Ａと音声情報Ｂとを取得した端末装置１０２は、サーバ１０４へ位置情報と音声情報を含むコンテンツとを含む情報１０３をサーバ１０４へ送信する。
【００１５】
サーバ１０４が、端末装置１０２より情報１０３を受信すると、サーバ１０４は、受信された情報１０３から位置情報と音声情報とを抽出し、サーバ１０４がアクセス可能なデータベース１０５に、音声情報に位置情報を関連付けて記録する。なお、「抽出」には、情報の取得のみならず、取得された情報の変換も含まれる場合がある。例えば、音声情報のエンコード方法の変換などが含まれる。ここに、例えば、受信された情報１０３から、それぞれ、「Ａ」および「１２３４５．ｗａｖ」が抽出されれば、「Ａ」と「１２３４５．ｗａｖ」とをデータベース１０５の同一の行に記録する。ここに、「１２３４５．ｗａｖ」は、音声情報Ｂが記録されたファイル名である。また、コンテンツに映像情報が含まれるのであれば、映像情報も抽出し、位置情報を関連付けてデータベース１０５に記録することもできる。
【００１６】
また、音声情報の変換には、音声の周波数成分の周波数を変更したり周波数成分の強度を変更したりすることを含んでもよい。このような変換により、男性の声を女性の声に加工したり、大人の声を子供の声に加工したり、有名人の声へ加工したりすることができる。どのように加工するかは、位置情報に応じて決定したり、音声情報が取得された日時に応じて決定したり、あるいは利用者１０１が端末装置１０２に指定を行なったりしてもよい。このような加工により、後に説明される音声の再生に種々の効果を付加することができる。また、自分の声を聞いたり聞かれたりすることに違和感を持つ利用者の違和感を取り除くこともできる。
【００１７】
なお、データベースには、図１に示すように、情報１０３が受信された日時を示すフィールド、情報１０３を送信した端末装置１０２の利用者１０１のユーザ名を示すフィールドを格納することが可能となっていてもよい。日時を示すフィールドに記録される情報は、端末装置１０２から情報１０３とともに送信されてもよい。また、ユーザ名は、例えば、端末装置１０２内に、本発明の一実施形態を実施するためのプログラムが動作しており、そのプログラムが起動し、サーバ１０４と通信を開始し、情報１０３を送信するまでにサーバ１０４などにログインしたときに取得される利用者の識別情報である。あるいは、ユーザ名は、利用者１０１が情報１０３を送信するときに任意に設定した名前であってもよい。
【００１８】
日時を示すフィールドがデータベースに格納されることで、音声情報が取得されたのと同じ場所に加えて、同じ季節や同じ時間帯などで音声情報を取得することが可能となり、感動が倍増する。また、ユーザ名を示すフィールドがデータベースに格納されることで、特定のユーザの音声情報を取得することを望む利用者が出現し、本実施形態に係る音声システムを、そのユーザのプロモーション活動などに役立てることができる。
【００１９】
サーバ１０４が、音声情報Ｂに位置情報Ａを関連付けて記録した後、別の利用者１０６が、端末装置１０７を所持して移動するとする。端末装置１０７は、上述したＧＰＳなどを用いて現在の位置情報を取得し、定期的にあるいは不定期に現在の位置情報をサーバ１０４に送信する。サーバ１０４は、受信された位置情報を用いてデータベース１０５を検索し、端末装置１０７から送信された位置情報に関連付けて記録されている音声情報を検索する。
【００２０】
したがって、利用者１０６が位置Ａに位置するようになると、端末装置１０７が、位置Ａを表わす位置情報１０８をサーバ１０４へ送信することになる。このとき、サーバ１０４が、データベース１０５を検索すると、位置Ａに関連付けられた音声情報が取得される。その後、サーバ１０４は、取得された音声情報を音声情報１０９として端末装置１０７へ送信する。音声情報１０９を受信した端末装置１０７は、音声情報１０９を再生し、音声情報Ｂにより表わされる音声が出力される。なお、利用者１０６は利用者１０１と同一人物であっても、異なる人物であってもよい。また、端末装置１０２と端末装置１０７とは、同一であっても異なっていてもよい。また、位置情報に関連付けて映像情報などもデータベース１０５に記録されていれば、その映像情報なども端末１０７へ送信され、ディスプレイに表示される。
【００２１】
なお、音声情報に対する上述した加工は、サーバ１０４が端末装置１０７へ送信する際に行なってもよい。
【００２２】
以上のような本発明の一実施形態によれば、利用者１０１が端末装置１０２に取得させた音声情報を、位置Ａに居る利用者１０６の端末装置１０７により再生させることができる。これにより、例えば、利用者１０１が話すなどして発現された感情を、利用者１０６が追体験することができ、複数の利用者間での感情の共有を行なうことができる。
【００２３】
（実施形態）
図２は、本発明の一実施形態に係る音声システムの、より詳細な機能ブロック図である。本発明の一実施形態に係るシステムは、音声取得端末２０１と、音声記録サーバ２０２と、データベースサーバ２０３と、音声再生サーバ２０４と、音声再生端末２０５とを有し、音声取得端末２０１と音声記録サーバ２０２とは通信網２０６により接続され、音声再生サーバ２０４と音声再生端末２０５とは通信網２０７により接続されている。なお、以下では、コンテンツは、主に音声情報を含むとして説明する。コンテンツに映像情報が含まれる場合も同様に処理を行なうことができる。
【００２４】
なお、音声取得端末２０１と音声再生端末２０５とは、同一の端末装置であってもよく、発揮される機能が異なるだけであってもよい。したがって、通信網２０６と通信網２０７とは同一の通信網であってもよい。また、音声記録サーバ２０２とデータベースサーバ２０３と音声再生サーバ２０４とは、同一のサーバとなっていてもよいし、音声記録サーバ２０２とデータベースサーバ２０３と音声再生サーバ２０４とが提供する機能が、クラスター化などされている複数のサーバによって提供されていてもよい。
【００２５】
音声取得端末２０１は、位置情報検出部２１１と、音声情報取得部２１２と、情報送信部２１３とを有する。
【００２６】
位置情報検出部２１１は、音声取得端末２０１が現在位置する位置を表わす位置情報を検出する。例えば、ＧＰＳによって現在の経度、緯度および高度を取得することができる。また、通信のための基地局、アクセスポイントや無線タグから受信される電波によって位置情報を算出したり、位置情報をエンコードしたバーコードや周囲の景色を撮影などして光学的な手段を用いて位置情報を取得したりすることができる。
【００２７】
音声情報取得部２１２は、音声情報を取得する。取得される音声情報は、音声取得端末２０１の周囲の音声を表わす。取得される音声情報は、例えば、音声取得端末２０１の所有者や周囲の人の発声する音声などであったり、周囲の騒音であったりする。音声情報取得部２１２は、音声取得端末２０１に備えられたり有線手段や無線手段により接続されたりしているマイクなどにより音声を取得し、音声をデジタル形式の情報に変換し、音声取得端末２０１のメモリに記憶する。
【００２８】
また、音声情報取得部２１２は、ラジオやテレビなどのチューナにより受信される音声情報を取得してメモリに記憶してもよい。これにより、特定の場所に行って受信できた放送局などの音声をその場所で再生することができ、受信が困難な放送局などの受信をするために人々をその場所に誘致することができる。
【００２９】
情報送信部２１３は、位置情報検出部２１１により検出された位置情報および音声情報取得部２１２により取得された音声情報を、通信網２０６を介して、音声記録サーバ２０２へ送信する。音声記録サーバ２０２へは、音声取得端末２０１が内部で管理している現在時刻や、音声取得端末２０１の利用者を識別するユーザ名なども送信されるようになっていてもよい。
【００３０】
図３は、音声情報取得部２１２が音声情報を取得する際の音声取得端末２０１の外観の一例である。音声取得端末２０１の筐体３０１には、携帯電話などとして使用するためのスピーカ３０２とマイク３０３とが備えられている。また、操作ボタン３０４も筐体３０１に備えられていてもよい。筐体３０１にはディスプレイ３０５が備えられている。ディスプレイには、位置情報検出部２１１が検出した位置情報が、例えば東京都港区芝７−６−１として、表示されている。また、必要に応じて、現在の時刻が、例えば２０１０年１２月１日１３時５分として、表示されていてもてよい。また、「送信」と表示されたボタン３１１と「終了」と表示されたボタン３１２がディスプレイ３０５に表示されている。ボタン３１１、３１２は、操作ボタン３０４により操作することもできたり、ディスプレイに直接触れることで操作できたりしてもよい。
【００３１】
マイク３０３により集音された音声を表わす音声情報が、音声情報取得部２１２により取得される。ボタン３１１を押下すると、押下から所定の時間、例えば３０秒、遡った時点から現在までに音声情報取得部２１２により取得された音声情報が位置情報とともに情報送信部２１３により送信される。あるいは、ボタン３１１が押下されてから、ボタン３１２が押下されるまでの間に音声情報取得部２１２により取得される音声情報が情報送信部２１３により送信されるようになっていてもよい。あるいは、音声情報取得部２１２により取得される音声の大きさが所定の閾値を超えている間、音声情報の送信がされるようになっていてもよい。
【００３２】
図４は、音声取得端末２０１において実行される処理のフローチャートの一例である。ステップＳ４０１の処理として、位置情報検出部２１１により、位置情報の検出がされる。検出された位置情報は、音声取得端末２０１のメモリに記憶される。位置情報の検出は、定期的に実行されたり、音声取得端末２０１のボタン３１１などが押下されたり、音声情報取得部２１２により取得される音声の大きさが所定の閾値を超えたときなどに実行されてもよい。
【００３３】
ステップＳ４０２の処理として、音声情報取得部２１２により、音声情報の取得がされる。例えば、ボタン３１１が押下されるなどの時に音声情報の取得がされる。ステップＳ４０３の処理として、情報送信部２１３により、取得された位置情報および音声情報が送信される。
【００３４】
ステップＳ４０４の処理として、処理全体を終了するかどうかを判断する。例えば、図４に示されるフローチャートの処理を実行するためのアプリケーションプログラムが終了するべきかどうかを判断する。もし、終了しないと判断されれば、ステップＳ４０１へ戻る。
【００３５】
音声記録サーバ２０２は、情報受信部２２１と、情報記録部２２２とを有する。
【００３６】
情報受信部２２１は、音声取得端末２０１より送信される位置情報および音声情報を、通信網２０６を介して受信する。受信した位置情報および音声情報は、音声記録サーバ２０２のメモリに記憶され、必要な処理が行われる。例えば、位置情報および音声情報から位置情報と音声情報とのそれぞれを抽出し、情報のエンコード方法や形式などの変換を行なう。また、抽出された音声情報の周波数成分の周波数や周波数成分の強度を変更してもよい。
【００３７】
情報記録部２２２は、情報受信部２２１により受信され、抽出、変換などが行われた位置情報を音声情報に関連付けてデータベースサーバ２０３に記録を行なう。データベースサーバ２０３は、図１のサーバ１０４のデータベース１０５に対応する。情報記録部２２２は、現在の時刻情報をさらに関連付けて記録を行なってもよい。また、音声取得端末２０１の利用者のユーザ名をさらに関連付けて記録を行なってもよい。
【００３８】
図５は、音声記録サーバ２０２において実行される処理のフローチャートの一例である。ステップＳ５０１の処理において、情報受信部２２１により、位置情報および音声情報の一部または全てが受信されるまで待つ。ステップＳ５０１の処理は、ビジーループとして示されているが、例えば、情報が受信されるまでプロセスがスリープして、情報が受信されるとウェイクアップするようになっていてもよい。位置情報および音声情報が受信可能になると、所定のサイズのバッファに読み込まれる。
【００３９】
情報が受信されると、ステップＳ５０２の処理として、所定のバッファなどに読み込まれた位置情報と音声情報とのメモリなどの記憶部への記憶がされる。その後、必要に応じて、抽出、変換などの処理が行われる。ステップＳ５０３の処理として受信が終了するかどうかを判断する。受信が終了しなければステップＳ５０１へ戻る。受信が終了すると、ステップＳ５０４の処理として、情報記録部２２２により、記憶された位置情報を音声情報に関連付けて、データベースサーバ２０３のデータベースへ記録する。
【００４０】
ステップＳ５０５の処理として、処理全体を終了するかどうかを判断する。例えば、シャットダウン処理が開始されたかどうかを判断する。処理全体を終了しないのであれば、ステップＳ５０１へ戻る。
【００４１】
音声再生端末２０５は、位置情報検出部２４０と、位置情報送信部２４１と、情報受信部２４２と、音声情報再生部２４３とを有する。
【００４２】
位置情報検出部２４０は、音声再生端末２０５が現在位置する位置を表わす位置情報を検出する。例えば、ＧＰＳによって現在の経度、緯度および高度を取得することができる。また、通信のための基地局、アクセスポイントや無線タグから受信される電波によって位置情報を算出したり、位置情報をエンコードしたバーコードや周囲の景色を撮影などして光学的な手段を用いて位置情報を取得したりすることができる。
【００４３】
位置情報送信部２４１は、位置情報検出部２４０が検出した位置情報を音声再生サーバ２０４へ送信する。位置情報送信部２４１は、定期的に、あるいは、所定の操作が行われると、位置情報を音声再生サーバ２０４へ送信する。あるいは、位置情報検出部２４０により検出された複数の位置情報を比較して、移動距離が所定の閾値を超えたときに位置情報を音声再生サーバ２０４へ送信してもよい。
【００４４】
情報受信部２４２は、音声再生サーバ２０４より、情報を受信する。この情報は、例えば、位置情報送信部２４１により送信された位置情報に関連付けられた音声情報がデータベースサーバ２０３に記録されているかどうかを示す情報や、その音声情報を受信する。音声情報を受信するに先立ち、音声情報の識別情報を受信し、識別情報を音声再生サーバに送信し、その識別情報により識別される音声情報を受信してもよい。また、位置情報送信部２４１により送信された位置情報の位置の周囲の位置を表わす位置情報に関連付けられた音声情報の一覧を表わす情報を受信してもよい。この一覧には、音声情報とともに、日時、ユーザ名も含まれていてもよい。
【００４５】
音声情報再生部２４３は、情報受信部２４２により受信された情報に基づいて音声情報を再生する。例えば、情報受信部２４２により受信された情報が、位置情報に関連付けられた音声情報であれば、その音声情報を再生する。このとき、所定の方法によりエンコードされた音声情報をデコードし、スピーカなどの出力機器を駆動する信号を出力し、音声を発生させる。音声情報の再生は、自動的に行なわれてもよいし、あるいは、利用者の再生のための操作が行なわれてから再生が行なわれてもよい。また、情報受信部２４２により受信された情報が、音声情報を識別する識別情報であれば、音声情報再生部２４３は、識別情報を音声再生サーバ２０４へ送信して音声情報を要求し、受信される音声情報を再生してもよい。このときも、音声情報の再生は、自動的に行なわれてもよいし、あるいは、利用者の再生のための操作が行なわれてから再生が行なわれてもよい。例えば、複数の識別情報が受信される場合には、利用者が選択をした識別情報を送信して、その識別情報により識別される音声情報を受信し、音声を再生してもよい。
【００４６】
図６（ａ）は、音声再生端末２０５において実行される処理のフローチャートの一例である。ステップＳ６０１の処理として、位置情報送信部２４１により、位置情報の検出を行ない、所定の条件が成立すると、ステップＳ６０２の処理として位置情報の送信が行われる。ステップＳ６０３の処理として、情報受信部２４２により、返信の受信が行われる。例えば、検出された位置情報に関連してデータベースサーバ２０３に記録された音声情報の有無、音声情報が有る場合には、その音声情報を格納したファイル名などの識別情報、周囲の位置を表わす位置情報に関連付けられた音声情報の一覧の情報を受信する。
【００４７】
ステップＳ６０４の処理として、ステップＳ６０３において受信された返信が、音声情報が有ることを示しているかどうかを判断する。音声情報が無ければステップＳ６０１へ戻り、音声情報が有れば、ステップＳ６０５へ移行する。ステップＳ６０５の処理として、例えば音声再生端末２０５のディスプレイに音声情報の再生が可能となった旨の表示を行なう。音声情報の再生が可能となった旨の表示を行なう代わりに、再生が可能となった音声情報を自動的に再生してもよい。
【００４８】
図６（ｂ）は、音声情報の再生を行なう際の、主に音声情報再生部２４３による処理のフローチャートを示す。ステップＳ６１１の処理として、音声再生サーバ２０４に音声情報の要求を行なう。例えば、現在の位置情報を送信し、送信された位置情報に関連付けられた音声情報がデータベースサーバ２０３に記録されているかどうかを示す情報や、その音声情報を受信する。また、音声情報を受信するに先立ち、音声情報の識別情報を受信し、識別情報を音声再生サーバに送信し、その識別情報により識別される音声情報を受信してもよい。また、位置情報送信部２４１により送信された位置情報の位置の周囲の位置を表わす位置情報に関連付けられた音声情報の一覧を表わす情報を受信し、利用者に選択を行なわせ、選択がされた音声情報を要求してもよい。すなわち、その位置情報に関連付けてデータベースサーバ２０３に記録された音声情報を要求する。あるいは、ステップＳ６０３などにおいて受信された音声情報の識別情報（例えばファイル名）を送信し、音声情報を要求する。
【００４９】
ステップＳ６１２の処理として、音声情報の受信を行なう。受信された音声情報はメモリなどに記憶され、デコードがされる。ステップＳ６１３の処理として音声情報の再生を行なう。なお、音声再生サーバ２０４からは、ストリーミングデータとして音声情報が送信されてもよく、その場合には、ステップＳ６１２とステップＳ６１３とは平行して実行される。なお、上述したように、利用者の選択などの操作がなくても、送信された位置情報に関連付けられた音声情報がデータベースサーバ２０３に記録されていれば自動的に音声情報の取得がされて再生がされるようになっていてもよい。
【００５０】
音声再生サーバ２０４は、位置情報受信部２３１と、情報読出部２３２と、情報送信部２３３とを有する。
【００５１】
位置情報受信部２３１は、音声再生端末２０５より送信される位置情報を受信する。受信された位置情報は、次に説明する情報読出部２３２に伝達される。
【００５２】
情報読出部２３２は、位置情報受信部２３１により受信された位置情報を用いて、データベースサーバ２０３に記録された音声情報を検索し、読出す。この場合、位置情報受信部２３１により受信された位置情報と同一の位置情報と関連付けられた位置情報を検索してもよいし、位置情報受信部２３１により受信された位置情報を中心に所定の距離内の位置を表わす位置情報と関連付けられた位置情報を検索してもよい。距離をどのような値にするかは、例えば、位置情報に応じて決定されてもよい。例えば、音声再生端末２０５において、位置情報がＧＰＳにより検出される場合には、高いビルが建設されている位置においては、ＧＰＳの測定誤差が大きくなるので、それに応じて距離を大きくしてもよい。また、音声情報の表わす音声の大きさによって、この距離を決定してもよい。大きな音声であれば、遠くでも聞くことができるので、距離を大きくすることができる。
【００５３】
また、位置情報受信部２３１により受信された位置情報が、経度および緯度により表わされる場合には、位置情報を中心に所定の距離内の位置を表わす位置情報と関連付けられて位置情報を検索するのではなく、経度および緯度が所定の範囲内となる正方形あるいは矩形内の位置を表わす位置情報と関連付けられて位置情報を検索してもよい。経度および緯度が所定の範囲内の検索が容易となる場合があるからである。
【００５４】
情報送信部２３３は、情報読出部２３２により検索され読出された情報を送信する。例えば、位置情報に関連付けて記録された音声情報の有無および一覧、要求された音声情報そのものを送信する。また、日時、ユーザ名などとともに送信してもよい。また、音声情報を送信する際には、音声情報の周波数成分の周波数や周波数成分の強度を変更してもよい。
【００５５】
図７（ａ）は、音声再生サーバ２０４において実行される処理のフローチャートの一例である。ステップＳ７０１の処理として、位置情報受信部により、位置情報が受信されるまで待つ。位置情報が受信されれば、ステップＳ７０２の処理として、情報読出部２３２により、位置情報に関連付けられた音声情報の検索が行われる。ステップＳ７０３の処理として、情報送信部２３３により、検索結果の返信が行われる。ステップＳ７０４の処理として、処理全体を終了するかどうかを判断する。
【００５６】
図７（ｂ）は、音声再生サーバ２０４において実行される処理のうち、音声再生端末からの音声情報の要求に対応する処理のフローチャートの一例である。ステップＳ７１１の処理として、音声情報の要求が受信されるまで待つ。音声情報の要求が受信されると、ステップＳ７１２の処理として、情報読出部２３２により、要求された音声情報を読出し、ステップＳ７１３の処理として、情報送信部２３３により、音声情報の送信が行われる。ステップＳ７１４の処理として、処理を終了するかどうかを判断する。
【００５７】
図８は、音声再生端末２０５が位置情報を音声再生サーバ２０４へ送信し、送信した位置情報が関連付けられた音声情報がデータベースに記録されている返信を受信した場合の音声再生端末２０５の外観を示す。音声再生端末２０５は、音声取得端末２０１と同様に、筐体８０１には、携帯電話などとして使用するためのスピーカ８０２とマイク８０３とが備えられている。また、操作ボタン８０４も筐体８０１に備えられていてもよい。筐体８０１にはディスプレイ８０５が備えられている。ディスプレイには、位置情報検出部２４０が検出した位置情報が、例えば東京都港区芝７−６−１として、表示され、データベースにこの位置情報と関連付けて記録された音声情報が存在することが示されている。
【００５８】
音声再生端末２０５の利用者が、「再生」と表示されたボタン８１１を押下すると、音声情報の再生が開始され、スピーカ８０２より出力がされる。また、音声再生端末２０５の設定によっては、ボタン８１１を押下するなどの操作を行わなくても、現在の位置情報と関連付けて記録された音声情報がデータベースにあれば、自動的に再生がされるようになっていてもよい。一つの位置情報に複数の音声情報が関連付けられていれば、記録された時間の順において最も最近の音声情報や、特定のユーザ名と関連付けられた音声情報が選択されて再生されるようになっていてもよい。
【００５９】
図９（ａ）は、音声再生端末２０５が、現在の位置情報を含む一定のエリア内の位置情報と関連付けられている音声情報を、地図とともに表示する一例図である。地図情報は、音声再生端末２０５の記憶装置から取得されたり、通信網を介して取得されたりしてもよい。取得された地図情報上の、音声情報に関連付けられている位置情報の表わす位置に、音声情報の存在していることが、記号９１２〜９１５により示されている。また、記号９１１は、音声再生端末２０５の利用者の現在の位置を示すとすることができる。音声再生端末２０５の利用者はこのような表示を見ながら、音声情報が取得された位置へ移動することができる。
【００６０】
また、図９（ｂ）は、一つの位置において、複数の音声情報が取得された場合の音声再生端末２０５の表示の一例である。図９（ｂ）においては、木９３１が表示され、音声情報が木９３１の実９３２〜９３４に喩えられて表示がされている。音声再生端末２０５の利用者は、実９３２〜９３４のいずれかを選択し、音声情報の再生を行なうことができる。音声を聞くことにより、この位置において音声情報が取得されたときの状況や音声取得端末２０１の感情を追体験することが可能となる。また、木９３１の代わりにビルが表示され、ビルのそれぞれの階や階の区分に、音声情報が存在していることが表示されてもよい。
【００６１】
なお、音声取得端末２０１、音声記録サーバ２０２、データベースサーバ２０３、音声再生サーバ２０４、音声再生端末２０５は、計算機によって実現することが可能である。図１０は、計算機の機能ブロック図を示す。計算機１００１は、ＣＰＵ１００２、ＲＯＭ１００３、ＲＡＭ１００４、ＨＤＤ１００５、通信Ｉ／Ｆ１００６、機器Ｉ／Ｆ１００７とを有する。
【００６２】
ＣＰＵ１００２は、プログラムを実行するプロセッサである。プログラムは、不揮発性メモリであるＲＯＭ１００３に記憶されていたり、揮発性メモリであるＲＡＭ１００４に記憶されていたりする。揮発性メモリに記憶されるプログラムは、二次記憶装置であるＨＤＤ１００５などに記憶され、実行時にＲＡＭ１００４に展開される。また、プログラムの実行時に必要な作業領域もＲＡＭ１００４に確保される。通信Ｉ／Ｆ１００６は、通信網と通信を行なうためのインターフェースである。機器Ｉ／Ｆ１００７は、計算機に接続された各種の機器を操作するためのインターフェースであり、ディスプレイを駆動したり、スピーカを駆動したり、操作ボタンの操作を検出したりするためのインターフェースである。
【００６３】
本発明では、プログラムを実行することにより、例えば、音声取得端末２０１の位置情報検出部２１１，音声情報取得部２１２，情報送信部２１３を実現することができる。位置情報検出部２１１は、機器Ｉ／Ｆ１００７に接続されたＧＰＳ受信機などから信号を取得するプログラムモジュールとして実現され、音声情報取得部２１２は、機器Ｉ／Ｆ１００７に接続されたマイクなどから信号を取得するプログラムモジュールとして実現され、情報送信部２１３は、通信Ｉ／Ｆ１００６を用いて音声記録サーバ２０２と通信を行なうプログラムモジュールとして実現される。
【００６４】
音声記録サーバ２０２の情報受信部は、通信Ｉ／Ｆ１００６により、音声取得端末２０１から情報を受信するプログラムモジュールとして実現され、情報記録部２２２は、機器Ｉ／Ｆ１００７などを介して接続されるデータベースサーバ２０３に、記録するべき情報を送信するためのプログラムモジュールとして実現される。
【００６５】
データベースサーバ２０３は、機器Ｉ／Ｆ１００７などを介して接続される音声記録サーバ２０２から情報を受信し、ＨＤＤ１００５に記憶されるデータベースに情報を記録するプログラムモジュールと、機器Ｉ／Ｆ１００７などを介して接続される音声再生サーバ２０４から受信される検索要求、音声情報の読出し要求を受信して、ＨＤＤ１００５に記憶されるデータベースにアクセスを行なうプログラムモジュールによって実現される。
【００６６】
音声再生サーバ２０４の位置情報受信部２３１は、通信Ｉ／Ｆ１００７を介して音声再生端末２０５と通信を行なうためのプログラムモジュールとして実現され、情報読出部２３２は、機器Ｉ／Ｆ１００７などを介してデータベースサーバにアクセスを行なうプログラムモジュールとして実現され、情報送信部２３３は、通信Ｉ／Ｆ１００７を介して音声再生端末２０５と通信を行なうためのプログラムモジュールとして実現される。
【００６７】
音声再生端末２０５の位置情報検出部２４０は、機器Ｉ／Ｆ１００７に接続されたＧＰＳ受信機などから信号を取得するプログラムモジュールとして実現され、位置情報送信部２４１と情報受信部２４２とは、通信Ｉ／Ｆ１００８を用いて音声再生サーバ２０４と通信を行なうためのプログラムモジュールとして実現され、音声情報再生部２４３は、機器Ｉ／Ｆ１００７に接続されるスピーカを駆動するプログラムモジュールとして実現される。
【００６８】
本発明に係る音声システムの利用形態には種々のものがある。例えば、ドラマなどのロケ地において、ドラマのシーンが撮影された位置の位置情報をそのシーンの音声情報と関連付けてデータベースに記録しておき、利用者がその位置に来たときに音声情報を再生することにより、ドラマのワンシーンを追体験することが可能となる。また、そのロケ地を訪れたときのファンなどの声を記録することができ、相乗的に感動を共有することも可能となる。
【００６９】
また、遊園地の幽霊屋敷などのアトラクションにおいて、幽霊屋敷の位置に応じて恐怖感を与える音声情報にその位置情報を関連付けてデータベースに記録しておき、来訪者がその位置に来たときに恐怖感を与える音声情報を再生することにより、より恐怖感を増大させることができる。特に、実際にその場所に来た来訪者の悲鳴を記録して別の来訪者に聞かせることにより恐怖感を倍増させることが可能である。また、この場合、音声情報は位置情報と関連付けられているので、例えば地縛霊の呪いの言葉などを音声情報とすることもできる。
【００７０】
また、音声取得端末２０１の利用者が、ある場所における景色などに感動して即興で、詩を詠んだり、歌ったりしたときの音声情報にその場所の位置情報を関連付けてデータベースに記録しておくことにより、同じ景色を見た他の利用者が、その詩や歌を聴くことにより、感動を共有することができる。
【００７１】
また、有名なラーメン店などの店舗において、そのラーメンなどを味わった利用者の感想を表わす音声情報にその店舗の位置情報を関連付けてデータベースに記録しておくことにより、広告宣伝を行なうこともできる。
【符号の説明】
【００７２】
１０１  利用者
１０２  端末装置
１０３  情報
１０４  サーバ
１０５  データベース
１０６  利用者
１０７  端末装置
１０８  位置情報
１０９  音声情報
【図１】
0005989822.tif 000002
【図２】
0005989822.tif 000003
【図３】
0005989822.tif 000004
【図４】
0005989822.tif 000005
【図５】
0005989822.tif 000006
【図６】
0005989822.tif 000007
【図７】
0005989822.tif 000008
【図８】
0005989822.tif 000009
【図９】
0005989822.tif 000010
【図１０】
0005989822.tif 000011